(57)【特許請求の範囲】
【請求項１】
トラクタ（１）の後方左右両側に、元畦土を砕いて寄せる左右ロータリ爪（１０）（１１）よりなる左右土処理部を取付けると共に、該左右ロータリ爪（１０）（１１）よりなる左右土処理部の夫々の後側に、択一的に位置変更自在で、土を締固めて新畦を形成する整形ローラ（１２）よりなる整形部を取付け、トラクタ後側に装設させて畦を連続的に形成する畦塗装置において、
前記左右ロータリ爪（１０）（１１）を左右ロータリカバー（２１）（２１）に内設させ、該左右ロータリカバー（２１）（２１）を、畦塗本体ケース（１５）に左右の伸縮シリンダ（２２）（２２）を介して昇降自在に連結させ、
該畦塗本体ケース（１５）の後面に支点ケース（２３）を一体固定させ、該支点ケース（２３）に軸受（２４）を介して可動ケース（２５）を回転自在に取付け、該可動ケース（２５）に伝動ケース（２６）を一体固定させ、前記整形ローラ（１２）を該伝動ケース（２６）に回転自在に軸支させ、
前記可動ケース（２５）と伝動ケース（２６）と整形ローラ（１２）を回転させて、左右ロータリ爪（１０）（１１）のいずれか一方の後側に整形ローラ（１２）を移動させ、
入力軸（１７）の後端を支点ケース（２３）内に延設させ、正転及び逆転ベベルギヤ（２７）（２８）を該入力軸（１７）上に固定させると共に、該正転及び逆転ベベルギヤ（２７）（２８）のいずれか一方に、択一的に噛合させる出力ベベルギヤ（２９）を可動ケース（２５）に軸支させ、
トラクタの前進走行によって左塗り作業と右塗り作業の両方を行なえるように構成したことを特徴とする畦塗装置。
【発明の詳細な説明】
【０００１】
【発明の属する技術分野】
本発明は、例えば圃場などの畦を連続的に形成する畦塗装置に関する。
【０００２】
【発明が解決しようとする課題】
従来、実開平３−１２２６０３号公報、または特開平８−１４９９０２号後方に示す如く、トラクタ後側に畦塗機本体ケースを装設させ、トラクタの左右いずれかに畦塗機本体ケースを水平回転させて方向転換させ、トラクタの前進作業によって塗り残した畦終端を、後進作業によって塗ることにより、手塗り作業を省くことができる技術がある。しかし乍ら、前記従来技術は、トラクタに装設させる台フレームに上下支点軸を設け、上下支点軸の間に畦塗機本体ケースを挾むように設けていたから、畦塗機本体ケース上面側の強度を大きくする必要があり、畦塗機本体ケースの構造の簡略化並びに組立分解作業性の向上などを容易に行い得ない不具合がある。また、台フレームにフックまたはピンを設けて畦塗機本体ケースを固定させていたから、畦塗作業によって大きな振動が発生し易い畦塗機本体ケースの防振を前記フックまたはピンによって行う必要があり、前記フック構造の簡略化を容易に行い得ず、またガタが生じるフックまたはピンの連結だけでは支点軸部などを損傷させ易い不具合がある。また、トラクタのＰＴＯ駆動力を伝える軸を台フレームに設け、該軸を畦塗機本体ケースのＰＴＯ入力軸に係脱自在に連結させていたから、伝動構造脱着操作が必要となって畦塗機本体ケースの方向転換操作の簡略化を容易に行い得ない不具合がある。
【０００３】
【課題を解決するための手段】
然るに、本発明は、トラクタ（１）の後方左右両側に、元畦土を砕いて寄せる左右ロータリ爪（１０）（１１）よりなる左右土処理部を取付けると共に、該左右ロータリ爪（１０）（１１）よりなる左右土処理部の夫々の後側に、択一的に位置変更自在で、土を締固めて新畦を形成する整形ローラ（１２）よりなる整形部を取付け、トラクタ後側に装設させて畦を連続的に形成する畦塗装置において、前記左右ロータリ爪（１０）（１１）を左右ロータリカバー（２１）（２１）に内設させ、該左右ロータリカバー（２１）（２１）を、畦塗本体ケース（１５）に左右の伸縮シリンダ（２２）（２２）を介して昇降自在に連結させ、該畦塗本体ケース（１５）の後面に支点ケース（２３）を一体固定させ、該支点ケース（２３）に軸受（２４）を介して前記可動ケース（２５）を回転自在に取付け、該可動ケース（２５）に伝動ケース（２６）を一体固定させ、前記整形ローラ（１２）を該伝動ケース（２６）に回転自在に軸支させ、前記可動ケース（２５）と伝動ケース（２６）と整形ローラ（１２）を回転させて、左右ロータリ爪（１０）（１１）のいずれか一方の後側に整形ローラ（１２）を移動させ、入力軸（１７）の後端を支点ケース（２３）内に延設させ、正転及び逆転ベベルギヤ（２７）（２８）を入力軸（１７）上に固定させると共に、該正転及び逆転ベベルギヤ（２７）（２８）のいずれか一方に、択一的に噛合させる出力ベベルギヤ（２９）を可動ケース（２５）に軸支させ、トラクタの前進走行によって左塗り作業と右塗り作業の両方を行なえるように構成したので、トラクタのリンク機構に畦塗本体ケースを連結させ、該畦塗本体ケースに左右土処理部を取付け得、整形部だけを位置変更自在に取付けることによって整形部の方向転換構造及び伝動構造の簡略化並びに方向転換操作性の向上などを容易に図り得る。
それと共に、左塗り作業と右塗り作業のいずれかをトラクタの後進によって行うことにより作業者が後向き姿勢になる不具合をなくし得、運転し易いトラクタの前進走行により左塗りと右塗りの両方の作業を行えて作業性の向上を容易に図り得るものである。
【０００４】
【発明の実施の形態】
以下、本発明の実施例を図面に基づいて詳述する。図１は全体の平面図、図２は拡大平面図であり、図中（１）は農用トラクタであり、前輪（２）、後輪（３）、運転席（４）、操向ハンドル（５）などを備え、作業者が運転席（４）に座乗するように構成している。また、ロワーリンク（６）及びトップリンク（７）で形成するリンク機構（８）をトラクタ（１）後側に設け、リンク機構（８）を介してトラクタ（１）後側に畦塗作業部（９）を装設させるもので、元畦（Ａ）土を砕いて寄せる土処理部である左右ロータリ爪（１０）（１１）と、土を締固めて新畦（Ｂ）を形成する整形部である整形ローラ（１２）を備え、トラクタ（１）後側に装設させて畦（Ｂ）を連続的に形成するように構成している。
【０００５】
さらに、前記ロワリンク（６）及びトップリンク（７）にヒッチ（１３）（１４）を介して畦塗本体ケース（１５）を連結させ、トラクタ（１）のＰＴＯ軸（１６）と畦塗本体ケース（１５）の入力軸（１７）を連結させると共に、左右ロータリ爪（１０）（１１）を左右爪軸（１８）（１８）に固定させ、左右爪軸（１８）（１８）を左右出力軸（１９）（１９）に自在継手（２０）（２０）を介して折曲自在かつ着脱自在に連結させ、入力軸（１７）のＰＴＯ駆動力を爪軸（１８）に伝え、ロータリ爪（１０）（１１）を回転させて土を砕き乍ら寄せる作業を行わせるように構成している。
【０００６】
また、前記の左右ロータリ爪（１０）（１１）を左右ロータリカバー（２１）（２１）に内設させ、左右ロータリカバー（２１）（２１）を畦塗本体ケース（１５）に左右の伸縮シリンダ（２２）（２２）を介して昇降自在に連結させ、伸縮シリンダ（２２）（２２）を操作してロータリ爪（１０）（１１）の対地高さを変更させ、ロータリ爪（１０）（１１）の耕深調節を行うと共に、畦塗作業を行わない側（図２の状態では左側）のロータリ爪（１０）または（１１）を非作業（非接地）高さに持上げたり、畦塗作業負荷によってトラクタ（１）が畦側に進路変更されるときに非作業側のロータリ爪（１０）または（１１）の着地によって左右の作業負荷をバランス良く保ち、トラクタ（１）の直進性を向上させるように構成している。前記伸縮シリンダ（２２）は、油圧シリンダ、または電動シリンダ、または手動で回転させるネジ式シリンダなどによって形成すると共に、前記自在継手（２０）及び伸縮シリンダ（２２）を畦塗本体ケース（１５）から離脱させ、非作業側のロータリ爪（１０）または（１１）とロータリカバー（２１）を取外して畦塗作業を行えるように構成している。
【０００７】
さらに、前記畦塗本体ケース（１５）後面に支点ケース（２３）を一体固定させ、支点ケース（２３）に軸受（２４）を介して可動ケース（２５）を回転自在に取付け、可動ケース（２５）に伝動ケース（２６）を一体固定させ、前記整形ローラ（１２）を伝動ケース（２６）に回転自在に軸支させる。また、前記入力軸（１７）後端を支点ケース（２３）内に延設させ、正転及び逆転ベベルギヤ（２７）（２８）を入力軸（１７）上に固定させると共に、正転及び逆転ベベルギヤ（２７）（２８）のいずれか一方に択一的に噛合させる出力ベベルギヤ（２９）を可動ケース（２５）に軸支させている。
【０００８】
そして、図２、図３に示す如く、前記支点ケース（２３）回りに可動ケース（２５）及び整形ローラ（１２）を回転させ、左右ロータリ爪（１０）（１１）のいずれか一方の後側に整形ローラ（１２）を移動させるもので、図４、図５に示す如く、トラクタ（１）の左側で左ロータリ爪（１０）後側に整形ローラ（１２）を配置させる左塗り作業と、トラクタ（１）右側で右ロータリ爪（１１）後側に整形ローラ（１２）を配置させる右塗り作業を、トラクタ（１）を前進走行させて行えるように構成している。
【０００９】
上記から明らかなように、トラクタ（１）の後方左右両側に左右ロータリ爪（１０）（１１）を取付けると共に、左右ロータリ爪（１０）（１１）の夫々の後側に択一的に位置変更自在に整形ローラ（１２）を取付け、トラクタ（１）の前進走行によって左塗り作業と右塗り作業の両方を行えるように構成したもので、トラクタ（１）のリンク機構（８）に畦塗本体ケース（１５）を連結させ、該畦塗本体ケース（１５）に左右ロータリ爪（１０）（１１）を取付け、整形ローラ（１２）だけを位置変更自在に取付けることによって整形ローラ（１２）の方向転換構造及び伝動構造の簡略化並びに方向転換操作性の向上などを図れると共に、左塗り作業と右塗り作業のいずれかをトラクタ（１）の後進によって行うことにより作業者が後向き姿勢になる不具合をなくし、運転し易いトラクタ（１）の前進走行により左塗りと右塗りの両方の作業を行えて作業性の向上を図れるように構成している。
【００１０】
本実施例は上記の如く構成しており、図２に示す実線位置または仮想線位置に支点ケース（２３）を中心に整形ローラ（１２）を移動させ、図４に示すように左塗り作業位置または右塗り作業位置のいずれかに択一的に整形ローラ（１２）を取付けると共に、図５のように、太線矢印で示す左塗り作業と、細線矢印で示す右塗り作業を行い、圃場外周の元畦（Ａ）端部から途中まで新畦（Ｂ）を形成した後、反対側の元畦（Ａ）端部から途中まで新畦（Ｂ）を形成することにより、元畦（Ａ）両端部に未処理部を残すことなく新畦（Ｂ）を形成できると共に、左塗り作業と右塗り作業の両方をトラクタ（１）を前進走行させて行え、トラクタ（１）を後進させて畦塗り作業を行う必要がないから、作業者が後向きになる不自然な姿勢で畦塗り作業を行う必要がなく、後進走行が必要な従来作業に比べて労力を軽減し、運転操作を容易に行えるものである。
【００１１】
【発明の効果】
以上実施例から明らかなように本発明は、トラクタ（１）の後方左右両側に、元畦土を砕いて寄せる左右ロータリ爪（１０）（１１）よりなる左右土処理部を取付けると共に、該左右ロータリ爪（１０）（１１）よりなる左右土処理部の夫々の後側に、択一的に位置変更自在で、土を締固めて新畦を形成する整形ローラ（１２）よりなる整形部を取付け、トラクタ後側に装設させて畦を連続的に形成する畦塗装置において、前記左右ロータリ爪（１０）（１１）を左右ロータリカバー（２１）（２１）に内設させ、該左右ロータリカバー（２１）（２１）を、畦塗本体ケース（１５）に左右の伸縮シリンダ（２２）（２２）を介して昇降自在に連結させ、該畦塗本体ケース（１５）の後面に支点ケース（２３）を一体固定させ、該支点ケース（２３）に軸受（２４）を介して前記可動ケース（２５）を回転自在に取付け、該可動ケース（２５）に伝動ケース（２６）を一体固定させ、前記整形ローラ（１２）を該伝動ケース（２６）に回転自在に軸支させ、前記可動ケース（２５）と伝動ケース（２６）と整形ローラ（１２）を回転させて、左右ロータリ爪（１０）（１１）のいずれか一方の後側に整形ローラ（１２）を移動させ、入力軸（１７）の後端を支点ケース（２３）内に延設させ、正転及び逆転ベベルギヤ（２７）（２８）を入力軸（１７）上に固定させると共に、該正転及び逆転ベベルギヤ（２７）（２８）のいずれか一方に、択一的に噛合させる出力ベベルギヤ（２９）を可動ケース（２５）に軸支させ、トラクタの前進走行によって左塗り作業と右塗り作業の両方を行なえるように構成したので、トラクタ（１）のリンク機構（８）に畦塗本体ケース（１５）を連結させ、該畦塗本体ケース（１５）に左右土処理部（１０）（１１）を取付けることができ、整形部（１２）だけを位置変更自在に取付けることによって整形部（１２）の方向転換構造及び伝動構造の簡略化並びに方向転換操作性の向上などを容易に図ることができる。
それと共に、左塗り作業と右塗り作業のいずれかをトラクタ（１）の後進によって行うことにより作業者が後向き姿勢になる不具合をなくすことができ、運転し易いトラクタ（１）の前進走行により左塗りと右塗りの両方の作業を行えて作業性の向上を容易に図ることができるものである。
また、左右ロータリ爪（１０）（１１）を左右ロータリカバー（２１）（２１）に内設させ、左右ロータリカバー（２１）（２１）を畦塗本体ケース（１５）に左右の伸縮シリンダ（２２）（２２）を介して昇降自在に連結させたので、伸縮シリンダ（２２）（２２）を操作してロータリ爪（１０）（１１）の対地高さを変更させ、ロータリ爪（１０）（１１）の耕深調節を行うと共に、畦塗作業を行わない側（図２の状態では左側）のロータリ爪（１０）または（１１）を非作業（非接地）高さに持上げたり、畦塗作業負荷によってトラクタ（１）が畦側に進路変更されるときに、非作業側のロータリ爪（１０）または（１１）の着地によって左右の作業負荷をバランス良く保ち、トラクタ（１）の直進性を向上させることが出来たのである。
【図面の簡単な説明】
【図１】  全体の平面図。
【図２】  拡大平面図。
【図３】  整形ローラの背面説明図。
【図４】  左塗り及右塗り作業説明図。
【図５】  畦塗り作業説明図。
【符号の説明】
（１）トラクタ
（１０）左ロータリ爪
（１１）右ロータリ爪
（１２）整形ローラ
（Ａ）元畦
（Ｂ）新畦
【図１】
0003665161.tif 000002
【図２】
0003665161.tif 000003
【図３】
0003665161.tif 000004
【図４】
0003665161.tif 000005
【図５】
0003665161.tif 000006